(57)【要約】【課題】複数の減光フィルタによって小絞りによる回折減少を防止するとともに、減光フィルタを複数用いても小型化を図れるようにする。【解決手段】開口部３１ａを全開させる全開位置と開口部３１ａの開口量を絞る絞り位置との間を往復移動可能な上絞り羽根４１及び下絞り羽根４４と、上絞り羽根４１及び下絞り羽根４４によって開口部３１ａの表面側に形成される絞り開口の開口量を増減させる絞り駆動モータ５１と、絞り開口から離れた退避位置と絞り開口を全て覆う遮蔽位置との間を往復移動して絞り開口を通過する光量を減少させることが可能な上ＮＤフィルタ６７及び下ＮＤフィルタ６８と、上ＮＤフィルタ６７及び下ＮＤフィルタ６８が退避位置にある状態、下ＮＤフィルタ６８だけが遮蔽位置にある状態、上ＮＤフィルタ６７及び下ＮＤフィルタ６８が遮蔽位置にある状態を切り替えるＮＤ駆動モータ７１とを有する。【選択図】図４
2010102044.tif 000002
【特許請求の範囲】
【請求項１】
光を入射させるための開口部が形成され、前記開口部からの入射光の光軸に対して垂直な方向に配置される地板と、
前記地板の表面に沿って取り付けられ、前記開口部を全開させる全開位置と前記開口部の開口量を絞る絞り位置との間を往復移動することが可能な複数の独立した絞り羽根と、
各前記絞り羽根を移動させ、各前記絞り羽根によって前記開口部の表面側に形成される絞り開口の開口量を増減させる絞り羽根駆動手段と、
前記地板の表面に沿って取り付けられ、前記絞り開口から離れた退避位置と前記絞り開口を全て覆う遮蔽位置との間を往復移動して前記絞り開口を通過する光量を増減させることが可能な複数の独立した減光フィルタと、
各前記減光フィルタを移動させ、全ての前記減光フィルタが退避位置にある状態、一部の前記減光フィルタだけが遮蔽位置にある状態、及び全ての前記減光フィルタが遮蔽位置にある状態を切り替える減光フィルタ駆動手段と
を有する光量調整装置。
【請求項２】
請求項１に記載の光量調整装置において、
各前記減光フィルタの退避位置と各前記絞り羽根の全開位置とは、前記地板の表面上で上下に重なる
光量調整装置。
【請求項３】
請求項１に記載の光量調整装置において、
前記減光フィルタ駆動手段は、１つの前記減光フィルタを遮蔽位置に移動させるまで、他の前記減光フィルタを退避位置に保持する
光量調整装置。
【請求項４】
請求項１に記載の光量調整装置において、
前記絞り羽根は、第１絞り羽根と第２絞り羽根とによって構成され、
前記絞り羽根駆動手段は、前記第１絞り羽根及び前記第２絞り羽根を互いに逆向きに直進移動させ、
前記減光フィルタは、前記第１絞り羽根に重なるように配置された第１減光フィルタと前記第２絞り羽根に重なるように配置された第２減光フィルタとによって構成され、
前記減光フィルタ駆動手段は、前記第１減光フィルタを前記第１絞り羽根と同じ方向に直進移動させ、前記第２減光フィルタを前記第２絞り羽根と同じ方向に直進移動させる
光量調整装置。
【請求項５】
請求項１に記載の光量調整装置において、
前記減光フィルタ駆動手段によって正逆回転する減光フィルタ駆動アームと、
各前記減光フィルタを個別に保持する複数の独立した減光フィルタ羽根と
を備え、
前記減光フィルタ駆動アームには、各前記減光フィルタ羽根と同数の減光フィルタ駆動ピンが形成され、
各前記減光フィルタ羽根には、各前記減光フィルタ駆動ピンとそれぞれ個別にはまり合うとともに、前記減光フィルタ駆動アームの正逆回転を各前記減光フィルタ羽根の往復移動に変換するためのカム穴が形成されている
光量調整装置。
【請求項６】
請求項１に記載の光量調整装置において、
各前記絞り羽根と各前記減光フィルタとの間に、両者の接触を避ける仕切り板を有する
光量調整装置。
【請求項７】
撮像用のレンズと、
前記レンズを収容する鏡筒本体と、
前記レンズからの光を入射させるための開口部が形成され、前記開口部からの入射光の光軸に対して垂直な方向に配置される地板と、
前記地板の表面に沿って取り付けられ、前記開口部を全開させる全開位置と前記開口部の開口量を絞る絞り位置との間を往復移動することが可能な複数の独立した絞り羽根と、
各前記絞り羽根を移動させ、各前記絞り羽根によって前記開口部の表面側に形成される絞り開口の開口量を増減させる絞り羽根駆動手段と、
前記地板の表面に沿って取り付けられ、前記絞り開口から離れた退避位置と前記絞り開口を全て覆う遮蔽位置との間を往復移動して前記絞り開口を通過する光量を増減させることが可能な複数の独立した減光フィルタと、
各前記減光フィルタを移動させ、全ての前記減光フィルタが退避位置にある状態、一部の前記減光フィルタだけが遮蔽位置にある状態、及び全ての前記減光フィルタが遮蔽位置にある状態を切り替える減光フィルタ駆動手段と
を有するレンズ鏡筒。
【請求項８】
撮像用のレンズと、
前記レンズを収容する鏡筒本体と、
前記レンズからの光を入射させるための開口部が形成され、前記開口部からの入射光の光軸に対して垂直な方向に配置される地板と、
前記地板よりも入射方向後方の光軸上に配置された撮像素子と、
前記地板の表面に沿って取り付けられ、前記開口部を全開させる全開位置と前記開口部の開口量を絞る絞り位置との間を往復移動することが可能な複数の独立した絞り羽根と、
各前記絞り羽根を移動させ、各前記絞り羽根によって前記開口部の表面側に形成される絞り開口の開口量を増減させる絞り羽根駆動手段と、
前記地板の表面に沿って取り付けられ、前記絞り開口から離れた退避位置と前記絞り開口を全て覆う遮蔽位置との間を往復移動して前記絞り開口を通過する光量を増減させることが可能な複数の独立した減光フィルタと、
各前記減光フィルタを移動させ、全ての前記減光フィルタが退避位置にある状態、一部の前記減光フィルタだけが遮蔽位置にある状態、及び全ての前記減光フィルタが遮蔽位置にある状態を切り替える減光フィルタ駆動手段と
を有する撮像装置。
【発明の詳細な説明】
【技術分野】
【０００１】
本発明は、複数の独立した絞り羽根と、複数の独立した減光フィルタとを有する光量調整装置、レンズ鏡筒、及び撮像装置に係るものである。そして、詳しくは、複数の減光フィルタによって小絞りによる回折現象を防止するとともに、減光フィルタを複数用いても小型化を図れるようにした技術に関するものである。
【背景技術】
【０００２】
デジタルスチルカメラやデジタルビデオカメラ等の撮像装置は、従来から、鏡筒本体に光軸を一致させた状態で配置された複数のレンズによって被写体像を結像させている。そして、この被写体像は、ＣＣＤ（Charge Coupled Device Image Sensor）イメージセンサやＣＭＯＳ（Complementary Metal Oxide Semiconductor ）イメージセンサ等の撮像素子によって受像され、光電変換されて電気信号として出力される。そのため、被写体像に対応したデジタル画像データが生成されることとなる。
【０００３】
ここで、明るい被写体を撮影する場合には、撮像素子への入射光量を少なくするため、複数の絞り羽根を有する光量調整装置によって光量を絞っている。この場合、例えば、各絞り羽根によって形成される絞り開口の開口量をピンホール状態まで絞ってしまうと、回折現象が発生し、いわゆる小絞り状態になってしまう。そのため、良好な画像を得ることができないという問題があった。
【０００４】
そこで、駆動手段によって複数の光量調節部材（絞り羽根）を駆動し、絞り開口の開口径を可変とする光量調節機構と、駆動手段により、光軸に略垂直な面内で有効光線内に出し入れ可能なＮＤフィルタ（減光フィルタ）とを有する光量調節装置が知られている。そして、ＮＤフィルタは、複数の異なる透過率の領域を有し、有効光線外から有効光線内へ入る際には、透過率の高い領域が最初に有効光線内に入るようになっている。そのため、透過率の高い領域で減光不足の場合には、透過率の低い領域を有効光線内に入れることにより、露出制御のダイナミックレンジを広くできる（例えば、特許文献１参照）。
【特許文献１】特開２０００−２１４５１４号公報
【０００５】
また、露出開口（絞り開口）を有する地板と、この地板にスライド自在に支持されたスライド部材と、このスライド部材に貼り付けられ、露出開口に進退して光量を減光する光量減光フィルタとを備えるようにした光量調整装置が知られている。具体的には、光量減光フィルタは、スライド部材に重ねられた大小異なる複数枚の減光フィルタからなり、この複数枚の減光フィルタの内で最も大なるフィルタが外側に位置するようにスライド部材に貼り付けられている。そのため、光量減光フィルタを露出開口にスライドさせることにより、開口量をピンホール状態まで絞ることなく、撮像素子への入射光量を少なくできる（例えば、特許文献２参照）。
【特許文献２】特開２００２−３５７８５７号公報
【発明の開示】
【発明が解決しようとする課題】
【０００６】
しかし、上記した特許文献１の技術は、複数の異なる透過率の領域を有する１つのＮＤフィルタ（減光フィルタ）を用いている。そのため、透過率が１種類だけの場合に比べてＮＤフィルタが大きくなり、その結果、光量調整装置が大型化するという問題がある。
【０００７】
一方、上記した特許文献２の技術は、大小異なる複数枚の減光フィルタを有している。しかし、各減光フィルタが１つのスライド部材に貼り付けられているので、各減光フィルタは、露出開口（絞り開口）に対して、同方向に同時に進退して光量を減光する。そのため、最も大なるフィルタが移動できるだけのスペースが必要となり、光量調整装置が大型化してしまう。
【０００８】
したがって、本発明が解決しようとする課題は、複数の減光フィルタによって小絞りによる回折現象を防止するとともに、減光フィルタを複数用いても小型化を図れるようにすることである。
【課題を解決するための手段】
【０００９】
本発明は、以下の解決手段によって、上述の課題を解決する。
本発明の請求項１に記載の発明は、光を入射させるための開口部が形成され、前記開口部からの入射光の光軸に対して垂直な方向に配置される地板と、前記地板の表面に沿って取り付けられ、前記開口部を全開させる全開位置と前記開口部の開口量を絞る絞り位置との間を往復移動することが可能な複数の独立した絞り羽根と、各前記絞り羽根を移動させ、各前記絞り羽根によって前記開口部の表面側に形成される絞り開口の開口量を増減させる絞り羽根駆動手段と、前記地板の表面に沿って取り付けられ、前記絞り開口から離れた退避位置と前記絞り開口を全て覆う遮蔽位置との間を往復移動して前記絞り開口を通過する光量を増減させることが可能な複数の独立した減光フィルタと、各前記減光フィルタを移動させ、全ての前記減光フィルタが退避位置にある状態、一部の前記減光フィルタだけが遮蔽位置にある状態、及び全ての前記減光フィルタが遮蔽位置にある状態を切り替える減光フィルタ駆動手段とを有する光量調整装置である。
【００１０】
また、本発明の請求項７に記載の発明は、撮像用のレンズと、前記レンズを収容する鏡筒本体と、前記レンズからの光を入射させるための開口部が形成され、前記開口部からの入射光の光軸に対して垂直な方向に配置される地板と、前記地板の表面に沿って取り付けられ、前記開口部を全開させる全開位置と前記開口部の開口量を絞る絞り位置との間を往復移動することが可能な複数の独立した絞り羽根と、各前記絞り羽根を移動させ、各前記絞り羽根によって前記開口部の表面側に形成される絞り開口の開口量を増減させる絞り羽根駆動手段と、前記地板の表面に沿って取り付けられ、前記絞り開口から離れた退避位置と前記絞り開口を全て覆う遮蔽位置との間を往復移動して前記絞り開口を通過する光量を増減させることが可能な複数の独立した減光フィルタと、各前記減光フィルタを移動させ、全ての前記減光フィルタが退避位置にある状態、一部の前記減光フィルタだけが遮蔽位置にある状態、及び全ての前記減光フィルタが遮蔽位置にある状態を切り替える減光フィルタ駆動手段とを有するレンズ鏡筒である。
【００１１】
さらにまた、本発明の請求項８に記載の発明は、撮像用のレンズと、前記レンズを収容する鏡筒本体と、前記レンズからの光を入射させるための開口部が形成され、前記開口部からの入射光の光軸に対して垂直な方向に配置される地板と、前記地板よりも入射方向後方の光軸上に配置された撮像素子と、前記地板の表面に沿って取り付けられ、前記開口部を全開させる全開位置と前記開口部の開口量を絞る絞り位置との間を往復移動することが可能な複数の独立した絞り羽根と、各前記絞り羽根を移動させ、各前記絞り羽根によって前記開口部の表面側に形成される絞り開口の開口量を増減させる絞り羽根駆動手段と、前記地板の表面に沿って取り付けられ、前記絞り開口から離れた退避位置と前記絞り開口を全て覆う遮蔽位置との間を往復移動して前記絞り開口を通過する光量を増減させることが可能な複数の独立した減光フィルタと、各前記減光フィルタを移動させ、全ての前記減光フィルタが退避位置にある状態、一部の前記減光フィルタだけが遮蔽位置にある状態、及び全ての前記減光フィルタが遮蔽位置にある状態を切り替える減光フィルタ駆動手段とを有する撮像装置である。
【００１２】
（作用）
上記の請求項１、請求項７、及び請求項８に記載の発明は、開口部を全開させる全開位置と開口部の開口量を絞る絞り位置との間を往復移動することが可能な複数の独立した絞り羽根を有している。そして、各絞り羽根は、絞り羽根駆動手段により、開口部の表面側に形成される絞り開口の開口量を増減させるように移動する。そのため、明るい被写体を撮影する場合には、絞り開口の開口量を減らして光量を絞り、撮像素子への入射光量を少なくできる。
【００１３】
また、上記の請求項１、請求項７、及び請求項８に記載の発明は、絞り開口から離れた退避位置と絞り開口を全て覆う遮蔽位置との間を往復移動して絞り開口を通過する光量を増減させることが可能な複数の独立した減光フィルタを有している。そして、この減光フィルタは、減光フィルタ駆動手段によって遮蔽位置にある状態に移動できる。そのため、絞り開口の開口量をピンホール状態まで絞ることなく、減光フィルタを遮蔽位置に移動させることによって光量を調整できるようになる。
【００１４】
さらにまた、減光フィルタは、独立して複数設けられている。そして、減光フィルタ駆動手段は、全ての減光フィルタが退避位置にある状態、一部の減光フィルタだけが遮蔽位置にある状態、及び全ての減光フィルタが遮蔽位置にある状態を切り替える。そのため、複数の異なる透過率の領域を有する１つの減光フィルタを用いる場合（特許文献１の技術）に比べ、減光フィルタを小型化できるようになる。また、複数の減光フィルタを同方向に同時に進退させる場合（特許文献２の技術）に比べ、減光フィルタの移動スペースを小さくできるようになる。
【発明の効果】
【００１５】
上記の発明によれば、絞り開口の開口量をピンホール状態まで絞ることなく、減光フィルタを遮蔽位置に移動させることによって光量を調整できるので、小絞りによる回折現象を防止できる。また、独立して複数設けられた各減光フィルタにより、１つの減光フィルタを用いる場合よりも小型化できる。さらにまた、複数の減光フィルタを同方向に同時に進退させる場合よりも減光フィルタの移動スペースを小さくできる。したがって、光量調整装置の小型化が可能となる。
【発明を実施するための最良の形態】
【００１６】
以下、図面を参照して、本発明を実施するための最良の形態（以下、実施の形態とする）について説明する。
ここで、本発明における撮像装置は、以下の実施の形態では、デジタルスチルカメラ１０であるとする。また、本発明のレンズ鏡筒は、以下の実施の形態では、デジタルスチルカメラ１０に組み込まれたレンズ鏡筒２０であるとする。そして、本発明の光量調整装置３０（又は８０，９０）は、レンズ鏡筒２０の一部となっている。なお、説明は、以下の順序で行う。
１．第１の実施の形態（光量調整装置３０：減光フィルタの上を小、下を大にした例）
２．第２の実施の形態（光量調整装置８０：上下の減光フィルタの動きを変えた例）
３．第３の実施の形態（光量調整装置９０：減光フィルタの上を大、下を小にした例）
【００１７】
［撮像装置の外観例］
図１は、本発明の撮像装置の一実施形態としての、デジタルスチルカメラ１０を示す斜視図である。なお、デジタルスチルカメラ１０には、本発明のレンズ鏡筒の一実施形態としての、レンズ鏡筒２０が組み込まれている。また、レンズ鏡筒２０には、本発明の光量調整装置の一実施形態としての、光量調整装置３０（又は８０，９０）が組み込まれている。
図１に示すように、デジタルスチルカメラ１０は、外装を構成する直方体状のケース１１を備えている。そして、ケース１１内の右側部には、図１（ａ）中、二点鎖線で示すレンズ鏡筒２０が組み込まれており、レンズ鏡筒２０に設けられているレンズ２１は、ケース１１の前面側の上部に位置している。なお、図１に示すデジタルスチルカメラ１０において、左右とは、図１（ａ）に示す前面側から見た左右を言うものとする。
【００１８】
また、レンズ２１の左隣には、撮影補助光を出射するフラッシュ１２、ＡＦ（Auto Focus）補助光発光部１３が設けられており、ケース１１の上面の左側部には、シャッターボタン１４が設けられている。さらに、ケース１１の前面側には、カバー１１ａが上下にスライド可能に設けられている。そして、カバー１１ａは、ケース１１の前面側下方に位置してレンズ２１、フラッシュ１２、及びＡＦ補助光発光部１３を露出させる撮影位置と、前面側上方に位置してこれらを覆う保護位置との間をスライドする。そのため、カバー１１ａを撮影位置（図１（ａ）に示す位置）にしてシャッターボタン１４を押せば、撮影できる。
【００１９】
さらにまた、ケース１１の後面には、メニューボタン１５、ディスプレイ１６、十字キー１７、ズームレバー１８、及び露出補正ボタン１９が設けられている。メニューボタン１５は、ディスプレイ１６に各種の設定メニュー（静止画撮影モード、動画撮影モード、再生モード等）を表示させるものであり、表示されたメニューは、十字キー１７で選択して決定ボタン１７ａで設定する。ディスプレイ１６は、例えば、液晶表示器であり、設定メニューの他、撮影する画像を表示したり、撮影された画像を再生等するものである。ズームレバー１８は、レンズ鏡筒２０のズーミングを行うためのものであり、露出補正ボタン１９は、ワンタッチで逆光補正等の露出補正を行うためのものである。
【００２０】
［レンズ鏡筒の断面例］
図２は、本発明のレンズ鏡筒の一実施形態としての、レンズ鏡筒２０の光軸方向の断面図である。
図２に示すように、レンズ鏡筒２０は、鏡筒本体２０ａに光軸を一致させた状態で配置された前玉レンズ群２１ａ、ズームレンズ群２１ｂ、中間レンズ２１ｃ、及びフォーカスレンズ群２１ｄを備える４群インナーフォーカス式のズームレンズとなっている。そのため、ステッピングモータやリニアモータ等によってズームレンズ群２１ｂを光軸方向に変位させることにより、ズーミング（変倍操作）を行うことができる。また、フォーカスレンズ群２１ｄを光軸方向に変位させることにより、フォーカシング（焦点調節操作）を行うことができる。なお、このレンズ鏡筒２０は、デジタルスチルカメラ１０（図１参照）の他、デジタルビデオカメラ等にも使用できるものである。
【００２１】
ここで、鏡筒本体２０ａは、強度及び量産性があり、かつ遮光性を有する黒色の樹脂材料（例えば、ガラス繊維を含有するポリカーボネート樹脂等）からなる。そして、前玉レンズ群２１ａ及び中間レンズ２１ｃは、鏡筒本体２０ａに固定されている。一方、ズームレンズ群２１ｂは、ズームレンズ保持枠２２によってガイド軸２４ａとガイド軸２４ｂとの間に保持されており、光軸方向にスライド可能となっている。さらに、フォーカスレンズ群２１ｄは、フォーカスレンズ保持枠２３によってガイド軸２４ａとガイド軸２４ｂとの間に保持されており、光軸方向にスライド可能となっている。なお、ガイド軸２４ａ及びガイド軸２４ｂは、鏡筒本体２０ａの内部で光軸と平行に固定されている。
【００２２】
また、レンズ鏡筒２０には、光量調整装置３０が設けられている。この光量調整装置３０は、中間レンズ２１ｃとフォーカスレンズ群２１ｄとの間に配置されている。そして、絞り開閉装置４０、絞り駆動装置５０（本発明における絞り羽根駆動手段に相当するもの）、ＮＤ（Neutral Density ）フィルタ開閉装置６０、及びＮＤフィルタ駆動装置７０（本発明における減光フィルタ駆動手段に相当するもの）を備えている。そのため、絞り駆動装置５０によって絞り開閉装置４０を開閉することにより、絞り開口の開口量を増減させることができる。さらに、ＮＤフィルタ駆動装置７０によってＮＤフィルタ開閉装置６０を開閉することにより、絞り開口を通過する光量を増減させることができる。なお、ＮＤフィルタは、本発明における減光フィルタに相当し、透過する光量を減少させることができるものである。
【００２３】
［撮像装置の構成例］
図３は、本発明の撮像装置の一実施形態としての、デジタルスチルカメラ１０の構成を示すブロック図である。
図３に示すように、デジタルスチルカメラ１０には、レンズ鏡筒２０が組み込まれている。また、レンズ鏡筒２０には、光量調整装置３０が組み込まれている。さらにまた、デジタルスチルカメラ１０は、撮像素子２５、Ａ／Ｄ（Analog／Digital ）変換部２６、カメラＤＳＰ（Digital Signal Processor）２７、ＣＰＵ（Central Processing Unit ）２８、メモリ２９、及びディスプレイ１６を備えている。
【００２４】
ここで、レンズ鏡筒２０には、前玉レンズ群２１ａ、ズームレンズ群２１ｂ、中間レンズ２１ｃ、及びフォーカスレンズ群２１ｄが光軸に沿って配列されている。そして、中間レンズ２１ｃとフォーカスレンズ群２１ｄとの間には、光量調整装置３０の一部を構成する絞り開閉装置４０が配置されている。この絞り開閉装置４０は、絞り駆動装置５０によって駆動され、絞り開口の開口量を増減させることができる。例えば、明るい被写体を撮影する場合には、撮像素子２５への入射光量を少なくするため、絞り開口の開口量を減少させて光量を絞る。
【００２５】
また、中間レンズ２１ｃとフォーカスレンズ群２１ｄとの間には、光量調整装置３０の一部を構成するＮＤフィルタ開閉装置６０も配置されている。本実施形態では、ＮＤフィルタ開閉装置６０は、絞り開閉装置４０の前面側である入射光側に配置されており、ＮＤフィルタ駆動装置７０によって駆動される。そのため、絞り開口の前面側をＮＤフィルタで閉じることにより、絞り開口を通過する入射光量を減らして小絞りによる回折現象を防止することが可能となる。
【００２６】
このような光量調整装置３０が組み込まれたレンズ鏡筒２０において、ＮＤフィルタ開閉装置６０及び絞り開閉装置４０によって光量調整された入射光（被写体像）は、撮像素子２５に結像し、撮像される。この撮像素子２５は、ＣＣＤ（Charge Coupled Device ）イメージセンサ、ＣＭＯＳ（Complementary Metal Oxide Semiconductor ）イメージセンサ等である。そして、入射光が撮像素子２５によって光電変換され、その出力であるアナログ信号は、Ａ／Ｄ変換部２６によってデジタル信号に変換される。また、このデジタル信号は、カメラＤＳＰ２７により、ガンマ補正、色分離、色差マトリクス等の処理が施され、同期信号を加えて標準テレビジョン信号が生成される。さらにまた、カメラＤＳＰ２７により、露出制御用の輝度データがＣＰＵ２８に送信され、カメラＤＳＰ２７によって処理された画像は、メモリ２９に記憶されたり、ディスプレイ１６に表示される。
【００２７】
ＣＰＵ２８は、カメラＤＳＰ２７から送信された輝度データに基づいて露出制御用の計算を行う。そして、その計算結果が露出適正でなかった場合には、適正になるように、絞り駆動装置５０及びＮＤフィルタ駆動装置７０を制御する。例えば、絞り開閉装置４０及びＮＤフィルタ開閉装置６０が開放している状態から入射光量を減らす方向に露出制御する場合には、絞り駆動装置５０を制御して絞り開閉装置４０を駆動し、絞り開口の開口量を減少させる。次に、ＮＤフィルタ駆動装置７０を制御してＮＤフィルタ開閉装置６０を駆動し、絞り開口を通過する入射光量を減らす。
【００２８】
この点に関してさらに詳述すると、絞り駆動装置５０によって絞り開閉装置４０を駆動した際に、絞り開口の開口量をピンホール状態まで絞ってしまうと、回折現象が発生し、いわゆる小絞り状態になってしまう。そこで、小絞り状態になった場合には、ＣＰＵ２８からの指令によってＮＤフィルタ駆動装置７０を制御し、ＮＤフィルタ開閉装置６０を駆動する。そして、絞り開口の前面側をＮＤフィルタで閉じることによって絞り開口を通過する入射光量を減らし、撮像素子２５に入射する光量を少なくする。その後、ＣＰＵ２８は、少なくなった入射光量に基づいて絞り駆動装置５０を制御し、絞り開閉装置４０を駆動して絞り開口の開口量を増やす。その結果、小絞り状態が解除され、いわゆる小絞りぼけを回避できるようになる。
【００２９】
一方、絞り開口をＮＤフィルタで閉じた明るい被写体の撮影から日陰等の被写体の撮影に変更した場合には、撮像素子２５への入射光量が低下することになる。そこで、ＣＰＵ２８からの指令によってＮＤフィルタ駆動装置７０を制御し、ＮＤフィルタ開閉装置６０を駆動して絞り開口の前面側からＮＤフィルタを退避させる。同時に、ＣＰＵ２８は、絞り駆動装置５０を制御し、絞り開閉装置４０を駆動して絞り開口の開口量を入射光量に応じたものとする。
【００３０】
＜１．第１の実施の形態＞
［光量調整装置の構成例］
図４は、本発明の光量調整装置の一実施形態（第１の実施の形態）としての、光量調整装置３０の構成を示す分解斜視図である。
図４に示すように、光量調整装置３０は、地板３１、仕切り板３４、及び押さえ板３６を有している。
【００３１】
また、光量調整装置３０は、絞り開閉装置４０（図３参照）を構成する上絞り羽根４１（本発明における第１絞り羽根に相当するもの）と、下絞り羽根４４（本発明における第２絞り羽根に相当するもの）とを有している。さらにまた、絞り駆動装置５０（図３参照）を構成する絞り駆動モータ５１（本発明における絞り羽根駆動手段に相当するもの）及び絞り駆動アーム５２を有している。なお、絞り駆動モータ５１は、本実施形態では、ステッピングモータであるが、リニアモータ等を使用することもできる。
【００３２】
さらに、光量調整装置３０は、ＮＤフィルタ開閉装置６０（図３参照）を構成する上ＮＤ羽根６１（本発明における減光フィルタ羽根に相当するもの）と、下ＮＤ羽根６４（本発明における減光フィルタ羽根に相当するもの）とを有している。そして、上ＮＤ羽根６１は、一定の透過率を有する上ＮＤフィルタ６７（本発明における第１減光フィルタに相当するもの）を保持しており、下ＮＤ羽根６４は、一定の透過率を有する下ＮＤフィルタ６８（本発明における第２減光フィルタに相当するもの）を保持している。また、ＮＤフィルタ駆動装置７０（図３参照）を構成するＮＤ駆動モータ７１（本発明における減光フィルタ駆動手段に相当するもの）及びＮＤ駆動アーム７２を有している。なお、ＮＤ駆動モータ７１は、本実施形態では、ステッピングモータであるが、リニアモータ等を使用することもできる。
【００３３】
ここで、地板３１には、光を入射させるための円形の開口部３１ａが形成されており、開口部３１ａからの入射光の光軸に対して垂直な方向に配置されるようになっている。また、地板３１には、ガイドピン３２が一体成型されるとともに凸状のレール３３が設けられている。そして、上ＮＤ羽根６１には、ガイドピン３２を挿入するガイド穴６２が形成されており、下ＮＤ羽根６４には、ガイドピン３２を挿入するガイド穴６５が形成されている。そのため、上ＮＤ羽根６１及び下ＮＤ羽根６４は、ガイド穴６２及びガイド穴６５にガイドピン３２を挿入することにより、地板３１の表面に沿ってそれぞれ独立に取り付けられることとなる。しかも、ガイド穴６２及びガイド穴６５が長穴に形成されているので、上ＮＤ羽根６１及び下ＮＤ羽根６４は、レール３３上で摩擦力が低減されながら入射光の光軸に対して垂直な方向に往復移動できる。
【００３４】
また、仕切り板３４は、上ＮＤ羽根６１及び下ＮＤ羽根６４と、上絞り羽根４１及び下絞り羽根４４との接触を避けるためのものであり、例えば、ステンレス板等で形成され、表裏両面にレール３５を有している。そして、上絞り羽根４１は、ガイドピン３２が挿入されるガイド穴４２を有しており、下絞り羽根４４は、ガイドピン３２が挿入されるガイド穴４５を有している。そのため、上絞り羽根４１及び下絞り羽根４４は、ガイド穴４２及びガイド穴４５にガイドピン３２を挿入することにより、仕切り板３４を介して地板３１の表面に沿ってそれぞれ独立に取り付けられることとなる。しかも、ガイド穴４２及びガイド穴４５が長穴に形成されているので、上絞り羽根４１及び下絞り羽根４４は、レール３５上で摩擦力が低減されながら入射光の光軸に対して垂直な方向に往復移動できる。
【００３５】
さらにまた、上絞り羽根４１及び下絞り羽根４４の表面は、押さえ板３６（例えば、ステンレス板等で形成され、レールを有するもの）によって塞がれる。そして、地板３１側にＮＤ駆動モータ７１が配置され、ＮＤ駆動モータ７１にＮＤ駆動アーム７２が取り付けられている。このＮＤ駆動アーム７２の両端部には、上ＮＤ駆動ピン７３及び下ＮＤ駆動ピン７４が一体成型され、上ＮＤ羽根６１及び下ＮＤ羽根６４に形成されたカム穴６３及びカム穴６６とそれぞれ個別にはまり合う。一方、押さえ板３６側に絞り駆動モータ５１が配置され、絞り駆動モータ５１に絞り駆動アーム５２が取り付けられている。この絞り駆動アーム５２の両端部には、上絞り駆動ピン５３及び下絞り駆動ピン５４が一体成型され、上絞り羽根４１及び下絞り羽根４４に形成されたカム穴４３及びカム穴４６とそれぞれ個別にはまり合う。なお、押さえ板３６及び仕切り板３４は、地板３１に対し、スナップフィット等の手段で固定される。また、絞り駆動モータ５１は、押さえ板３６にビス締結や接着等によって固定され、ＮＤ駆動モータ７１は、地板３１にビス締結や接着等によって固定される。
【００３６】
このような上絞り羽根４１及び下絞り羽根４４のカム穴４３及びカム穴４６は、絞り駆動アーム５２の正逆回転を上絞り羽根４１及び下絞り羽根４４の往復移動に変換する。そのため、絞り駆動モータ５１によって絞り駆動アーム５２を正逆回転させれば、絞り駆動モータ５１の駆動力がカム穴４３及びカム穴４６によって伝達される。その結果、上絞り羽根４１及び下絞り羽根４４は、ガイドピン３２に案内され、開口部３１ａを全開させる全開位置と開口部３１ａの開口量を絞る絞り位置との間を往復移動する。また、上絞り羽根４１と下絞り羽根４４とが互いに逆向きに直進移動するようになるので、絞り駆動モータ５１により、上絞り羽根４１及び下絞り羽根４４によって開口部３１ａの表面側に形成される絞り開口の開口量を増減させることができる。
【００３７】
同様に、上ＮＤ羽根６１及び下ＮＤ羽根６４のカム穴６３及びカム穴６６は、ＮＤ駆動アーム７２の正逆回転を上ＮＤ羽根６１及び下ＮＤ羽根６４の往復移動に変換する。そのため、ＮＤ駆動モータ７１によってＮＤ駆動アーム７２を正逆回転させれば、ＮＤ駆動モータ７１の駆動力がカム穴６３及びカム穴６６によって伝達される。その結果、上ＮＤ羽根６１及び下ＮＤ羽根６４は、ガイドピン３２に案内され、上ＮＤフィルタ６７及び下ＮＤフィルタ６８は、絞り開口から離れた退避位置と絞り開口を全て覆う遮蔽位置との間を往復移動する。
【００３８】
ここで、例えば、上絞り羽根４１の外形は、上絞り羽根４１のカム穴４３にはまり合った上絞り駆動ピン５３の反対側にある下絞り駆動ピン５４が動く軌跡を避けるように形成されている。また、下絞り羽根４４、上ＮＤ羽根６１、及び下ＮＤ羽根６４の外形も同様に形成されている。そのため、上絞り羽根４１、下絞り羽根４４、上ＮＤ羽根６１、及び下ＮＤ羽根６４は、相互に干渉することなく往復移動できる。しかも、上絞り羽根４１、下絞り羽根４４、上ＮＤ羽根６１、及び下ＮＤ羽根６４を地板３１の表面に落とし込んで組立てできるようになり、厚さも薄くできるので、光量調整装置３０が低コスト化及び小型化される。
【００３９】
また、上ＮＤフィルタ６７及び下ＮＤフィルタ６８の退避位置と、上絞り羽根４１及び下絞り羽根４４の全開位置とは、地板３１の表面上で上下に重なるようになっている。具体的には、上ＮＤフィルタ６７は、上絞り羽根４１に重なるように配置され、下ＮＤフィルタ６８は、下絞り羽根４４に重なるように配置されている。そのため、上絞り羽根４１及び下絞り羽根４４と、上ＮＤフィルタ６７及び下ＮＤフィルタ６８との配置スペースを共用できるようになり、光量調整装置３０が小型化される。
【００４０】
さらにまた、ＮＤ駆動モータ７１は、上ＮＤフィルタ６７を上絞り羽根４１と同じ方向に直進移動させ、下ＮＤフィルタ６８を下絞り羽根４４と同じ方向に直進移動させる。そして、上ＮＤフィルタ６７及び下ＮＤフィルタ６８が退避位置にある状態、下ＮＤフィルタ６８だけが遮蔽位置にある状態、上ＮＤフィルタ６７及び下ＮＤフィルタ６８が遮蔽位置にある状態を切り替える。したがって、ＮＤ駆動モータ７１により、絞り開口を通過する光量を増減できる。なお、本実施形態では、上ＮＤフィルタ６７及び下ＮＤフィルタ６８の透過率を同一で一定のものとしているが、両者で異なる透過率としたり、一方又は両方の透過率が部分的に変わっていてもよい。
【００４１】
［光量調整装置の動作例］
図５は、第１の実施の形態の光量調整装置３０における絞り動作の第１段階（図５（ａ））及び第２段階（図５（ｂ））を示す正面図である。
また、図６は、第１の実施の形態の光量調整装置３０における絞り動作の第３段階（図６（ｃ））及び第４段階（図６（ｄ））を示す正面図である。
さらにまた、図７は、第１の実施の形態の光量調整装置３０における絞り動作の第５段階（図７（ｅ））を示す正面図である。
【００４２】
図５（ａ）に示す絞り動作の第１段階では、上絞り羽根４１及び下絞り羽根４４が全開位置となっている。そのため、上絞り羽根４１及び下絞り羽根４４によって開口部３１ａ（図４参照）の表面側に形成される絞り開口３７は、最大の開口量となり、開口部３１ａが全開する。また、上ＮＤフィルタ６７及び下ＮＤフィルタ６８の両方が退避位置にあるので、絞り開口３７を通過する光量が減少することはない。
【００４３】
次に、図５（ｂ）に示す絞り動作の第２段階では、絞り駆動モータ５１（図４参照）によって上絞り羽根４１及び下絞り羽根４４を絞り位置に移動させ、絞り開口３７の開口量を減少させる。なお、この絞り位置は、小絞り状態にならない（回折劣化が生じない）範囲で設定されている。
【００４４】
続いて、図６（ｃ）に示す絞り動作の第３段階では、上絞り羽根４１及び下絞り羽根４４を絞り位置に維持したまま、下ＮＤフィルタ６８だけを遮蔽位置にする。具体的には、ＮＤ駆動モータ７１を少しだけ時計回りに回転させ、ＮＤ駆動アーム７２により、上ＮＤ羽根６１を下降させるとともに下ＮＤ羽根６４を上昇させる。そのため、上ＮＤフィルタ６７が下降し、下ＮＤフィルタ６８が上昇するが、第１の実施の形態の光量調整装置３０では、上ＮＤフィルタ６７の上下幅が小さく、下ＮＤフィルタ６８の上下幅が大きくなっている。したがって、上ＮＤフィルタ６７の下端は、依然として絞り開口３７から離れた退避位置となり、下ＮＤフィルタ６８だけが絞り開口３７を全て覆う遮蔽位置となる。その結果、小絞りによる回折劣化の発生を抑えることができる。また、上ＮＤフィルタ６７又は下ＮＤフィルタ６８の半掛かりによる回折現象や端面の反射による画質劣化を避けることができる。なお、ＮＤ駆動モータ７１の回転状態により、上ＮＤフィルタ６７又は下ＮＤフィルタ６８を半掛かりの状態とすることも可能である。
【００４５】
ここで、動画撮影時は、図６（ｃ）に示す第３段階の絞り動作を可能な限り早く行うことが望ましい。また、下ＮＤフィルタ６８を遮蔽位置にする際に、上絞り羽根４１及び下絞り羽根４４を多少動かしてもよい。なお、この際は、増幅器の利得（ゲイン）や電子シャッタのシャッタ速度を変化させることにより、下ＮＤフィルタ６８の出し入れ（と、上絞り羽根４１及び下絞り羽根４４の動き）による露出変化を相殺し、連続的な露出制御を行う。
【００４６】
図６（ｄ）に示す絞り動作の第４段階では、上絞り羽根４１及び下絞り羽根４４を絞り位置に維持したまま、上ＮＤフィルタ６７も遮蔽位置にする。具体的には、ＮＤ駆動モータ７１を大きく時計回りに回転させ、ＮＤ駆動アーム７２により、さらに上ＮＤ羽根６１を下降させるとともに下ＮＤ羽根６４を上昇させる。そのため、下ＮＤフィルタ６８だけでなく、上ＮＤフィルタ６７も絞り開口３７を全て覆う遮蔽位置となる。したがって、絞り開口３７を通過する光量をさらに減少させることができる。なお、下ＮＤフィルタ６８は、上下幅が大きいので、図６（ｃ）に示す遮蔽位置からさらに上昇しても、依然として絞り開口３７を全て覆う遮蔽位置となる。また、上ＮＤフィルタ６７を遮蔽位置にする際に、上絞り羽根４１及び下絞り羽根４４を多少動かしてもよく、この際も、露出変化を相殺して連続的な露出制御を行う。
【００４７】
最後に、図７（ｅ）に示す絞り動作の第５段階では、上絞り羽根４１及び下絞り羽根４４をさらに絞り込む。それにより、上ＮＤフィルタ６７及び下ＮＤフィルタ６８の両方が遮蔽位置に移動した後も、撮像素子２５（図３参照）への入射光量を減少させることができる。また、第１の実施の形態では、上絞り羽根４１及び下絞り羽根４４を全閉状態まで絞り込むことにより、上絞り羽根４１及び下絞り羽根４４によるシャッタ機能の兼用を可能としている。
【００４８】
このように、上絞り羽根４１、下絞り羽根４４、上ＮＤ羽根６１、及び下ＮＤ羽根６４は、図４に示すカム穴４３、カム穴４６、カム穴６３、及びカム穴６６と、上絞り駆動ピン５３、下絞り駆動ピン５４、上ＮＤ駆動ピン７３、及び下ＮＤ駆動ピン７４との関係によって図５、図６、及び図７に示す絞り動作を行う。そして、カム穴４３、カム穴４６、カム穴６３、及びカム穴６６の形成位置や角度の設定により、図５（ａ）に示す第１段階から図７（ｅ）に示す第５段階までの絞り駆動アーム５２（図４参照）及びＮＤ駆動アーム７２（図４参照）の回転角度を７５°としている。なお、各段階におけるカム穴４３、カム穴４６、カム穴６３、及びカム穴６６の圧力角を下げるには、各段階に割り当てる絞り駆動アーム５２及びＮＤ駆動アーム７２の回転角度を大きくすればよい。また、近年では、撮像素子２５（図３参照）の読出し速度が速くなってきている（特に、ＣＭＯＳイメージセンサ）ので、メカ的なシャッタ機能を兼用する必然性がなくなってきている。そこで、図６（ｄ）に示す第４段階から図７（ｅ）に示す第５段階までの絞り駆動アーム５２の回転角度を小さくしたり、第５段階自体を省略してもよい。
【００４９】
このような第１の実施の形態の光量調整装置３０は、小絞りによる回折現象、上ＮＤフィルタ６７又は下ＮＤフィルタ６８の半掛かりによる回折現象や端面反射を回避できる。また、上ＮＤフィルタ６７及び下ＮＤフィルタ６８の２枚により、従来よりも回折劣化の少ない絞り形状をより長く保持したまま、露出制御が可能となる。さらにまた、同一の明るさの被写体であっても、被写界深度優先で、絞り形状をより小さくした状態で上ＮＤフィルタ６７及び下ＮＤフィルタ６８の出し入れを行うことができる。さらに、下ＮＤフィルタ６８が遮蔽位置にした後、絞りをより絞ってから上ＮＤフィルタ６７も遮蔽位置にする等、露出と被写界深度の選択を増やすことができるので、滑らかで多彩な露出制御が可能となる。
【００５０】
＜２．第２の実施の形態＞
［光量調整装置の動作例］
図８は、第２の実施の形態の光量調整装置８０における絞り動作の第１段階（図８（ａ））及び第２段階（図８（ｂ））を示す正面図である。
また、図９は、第２の実施の形態の光量調整装置８０における絞り動作の第３段階（図９（ｃ））及び第４段階（図９（ｄ））を示す正面図である。
さらにまた、図１０は、第２の実施の形態の光量調整装置８０における絞り動作の第５段階（図１０（ｅ））及び第６段階（図１０（ｆ））を示す正面図である。
さらに、図１１は、第２の実施の形態の光量調整装置８０における絞り動作の第７段階（図１１（ｇ））を示す正面図である。
【００５１】
図８、図９、図１０、及び図１１に示す第２の実施の形態の光量調整装置８０は、第１の実施の形態の光量調整装置３０（図５、図６、及び図７参照）に対し、異なる形状（特に、カム穴）の上ＮＤ羽根８１及び下ＮＤ羽根８２を使用している。また、上ＮＤ羽根８１及び下ＮＤ羽根８２に合わせた形状のＮＤ駆動アーム８３を使用している。そのため、上ＮＤフィルタ６７及び下ＮＤフィルタ６８の動きが変わる。具体的には、  図８（ａ）に示す絞り動作の第１段階では、上絞り羽根４１及び下絞り羽根４４が全開位置となっている。そのため、上絞り羽根４１及び下絞り羽根４４によって開口部３１ａ（図４参照）の表面側に形成される絞り開口３７は、最大の開口量となり、開口部３１ａが全開する。また、上ＮＤフィルタ６７及び下ＮＤフィルタ６８の両方が退避位置にあるので、絞り開口３７を通過する光量が減少することはない。
【００５２】
次に、図８（ｂ）に示す絞り動作の第２段階では、絞り駆動モータ５１（図４参照）によって上絞り羽根４１及び下絞り羽根４４を絞り位置に移動させ、絞り開口３７の開口量を減少させる。なお、この絞り位置は、小絞り状態にならない（回折劣化が生じない）範囲で設定されている。
【００５３】
続いて、図９（ｃ）に示す絞り動作の第３段階及び図９（ｄ）に示す絞り動作の第４段階では、上絞り羽根４１及び下絞り羽根４４を絞り位置に維持したまま、下ＮＤフィルタ６８だけを遮蔽位置にする。具体的には、図９（ｃ）に示す第３段階において、ＮＤ駆動モータ７１を少しだけ時計回りに回転させ、ＮＤ駆動アーム８３により、下ＮＤ羽根８２を上昇させる。この際、第２の実施の形態の光量調整装置８０では、上ＮＤ羽根８１（上ＮＤフィルタ６７）が下降せず、退避位置から動かない。これは、ＮＤ駆動アーム８３が時計回りに回転しても、上ＮＤ羽根８１のカム穴に沿って動くようにカム穴が同心円状に形成されているからである。
【００５４】
その後、図９（ｄ）に示す第４段階までＮＤ駆動モータ７１（ＮＤ駆動アーム８３）を時計回りに回転させると、下ＮＤ羽根８２がさらに上昇するとともに上ＮＤ羽根６７が少しだけ下降する。そのため、上ＮＤフィルタ６７の下端は、依然として絞り開口３７から離れた退避位置となり、下ＮＤフィルタ６８だけが絞り開口３７を全て覆う遮蔽位置となる。したがって、ＮＤ駆動モータ７１は、下ＮＤフィルタ６８を遮蔽位置に移動させるまで、上ＮＤフィルタ６７を退避位置に保持することとなる。そして、小絞りによる回折劣化の発生を抑える。また、上ＮＤフィルタ６７又は下ＮＤフィルタ６８の半掛かりによる回折現象や端面の反射による画質劣化が避けられる。
【００５５】
図１０（ｅ）に示す絞り動作の第５段階及び図１０（ｆ）に示す絞り動作の第６段階では、上絞り羽根４１及び下絞り羽根４４を絞り位置に維持したまま、上ＮＤフィルタ６７も遮蔽位置にする。具体的には、図１０（ｅ）に示す第５段階において、ＮＤ駆動モータ７１をさらに時計回りに回転させ、ＮＤ駆動アーム８３により、上ＮＤ羽根８１をさらに下降させるとともに下ＮＤ羽根８２を上昇させる。
【００５６】
その後、図１０（ｆ）に示す第６段階までＮＤ駆動モータ７１（ＮＤ駆動アーム８３）を時計回りに回転させると、上ＮＤ羽根８１がさらに下降する。そのため、下ＮＤフィルタ６８だけでなく、上ＮＤフィルタ６７も絞り開口３７を全て覆う遮蔽位置となる。したがって、絞り開口３７を通過する光量をさらに減少させることができる。この際、第２の実施の形態の光量調整装置８０では、図１０（ｅ）に示す第５段階の遮蔽位置から下ＮＤ羽根８２（下ＮＤフィルタ６８）が動かない。これは、ＮＤ駆動アーム８３が時計回りに回転しても、下ＮＤ羽根８２のカム穴に沿って動くようにカム穴が同心円状に形成されているからである。
【００５７】
最後に、図１１（ｇ）に示す絞り動作の第７段階では、上絞り羽根４１及び下絞り羽根４４をさらに絞り込む。それにより、上ＮＤフィルタ６７及び下ＮＤフィルタ６８の両方が遮蔽位置に移動した後も、撮像素子２５（図３参照）への入射光量を減少させることができる。なお、第２の実施の形態では、上絞り羽根４１及び下絞り羽根４４を全閉状態まで絞り込むことにより、上絞り羽根４１及び下絞り羽根４４によるシャッタ機能の兼用を可能としている。
【００５８】
＜３．第３の実施の形態＞
［光量調整装置の構成例］
図１２は、本発明の光量調整装置の実施形態（第１の実施の形態、第３の実施の形態）としての、光量調整装置３０（図１２（ａ））及び光量調整装置９０（図１２（ｂ））の構成を示す正面図である。
図１２（ａ）に示すように、第１の実施の形態の光量調整装置３０は、上ＮＤフィルタ６７の上下幅が小さく、下ＮＤフィルタ６８の上下幅が大きくなっている。一方、図１２（ｂ）に示すように、第３の実施の形態の光量調整装置９０は、上ＮＤフィルタ９３の上下幅が大きく、下ＮＤフィルタ９４の上下幅が小さくなっている。また、第３の実施の形態の光量調整装置９０では、上ＮＤフィルタ９３及び下ＮＤフィルタ９４に合わせた形状の上ＮＤ羽根９１及び下ＮＤ羽根９２を使用している。さらにまた、上ＮＤ羽根９１及び下ＮＤ羽根９２に合わせた形状のＮＤ駆動アーム９５を使用している。
【００５９】
ここで、第１の実施の形態の光量調整装置３０（図１２（ａ））では、光軸から光量調整装置３０の上端までの距離をＬ１、光軸から光量調整装置３０の下端までの距離をＬ２としたとき、Ｌ１＞Ｌ２となる。そのため、光軸よりＮＤ駆動モータ７１側の長さを短くできる。一方、第３の実施の形態の光量調整装置９０（図１２（ｂ））では、光軸から光量調整装置９０の上端までの距離をＬ’１、光軸から光量調整装置９０の下端までの距離をＬ’２としたとき、Ｌ’１＜Ｌ’２となる。そのため、光軸よりＮＤ駆動モータ７１と反対側の長さを短くできる。したがって、レンズ鏡筒２０（図２参照）の外形等に合わせて、光量調整装置３０（図１２（ａ））又は光量調整装置９０（図１２（ｂ））を任意に選択すればよい。
【００６０】
以上、本発明の実施形態について説明したが、本発明は、上述した実施形態に限定されることなく、種々の変形が可能である。例えば、実施形態では、撮像装置として、デジタルスチルカメラ１０を例に挙げている。しかし、これに限らず、デジタルビデオカメラ等の撮像装置にも広く適用可能である。また、実施形態では、上ＮＤフィルタ６７及び下ＮＤフィルタ６８を上ＮＤ羽根６１及び下ＮＤ羽根６４等で保持しているが、上ＮＤフィルタ及び下ＮＤフィルタ自体を羽根形状としてもよい。さらにまた、実施形態では、１つのＮＤ駆動モータ７１によって上ＮＤフィルタ６７及び下ＮＤフィルタ６８の２枚を往復移動させている。しかし、ＮＤ駆動モータやＮＤフィルタ駆動ピンを増やすことにより、３枚以上のＮＤフィルタを使用してそれぞれが往復移動するようにしてもよい。さらに、減光フィルタは、ＮＤフィルタに限らず、透過率を変えることができる液晶フィルタ等であってもよい。
【図面の簡単な説明】
【００６１】
【図１】本発明の撮像装置の一実施形態としての、デジタルスチルカメラを示す斜視図である。
【図２】本発明のレンズ鏡筒の一実施形態としての、レンズ鏡筒の光軸方向の断面図である。
【図３】本発明の撮像装置の一実施形態としての、デジタルスチルカメラの構成を示すブロック図である。
【図４】本発明の光量調整装置の一実施形態（第１の実施の形態）としての、光量調整装置の構成を示す分解斜視図である。
【図５】第１の実施の形態の光量調整装置における絞り動作の第１段階及び第２段階を示す正面図である。
【図６】第１の実施の形態の光量調整装置における絞り動作の第３段階及び第４段階を示す正面図である。
【図７】第１の実施の形態の光量調整装置における絞り動作の第５段階を示す正面図である。
【図８】第２の実施の形態の光量調整装置における絞り動作の第１段階及び第２段階を示す正面図である。
【図９】第２の実施の形態の光量調整装置における絞り動作の第３段階及び第４段階を示す正面図である。
【図１０】第２の実施の形態の光量調整装置における絞り動作の第５段階及び第６段階を示す正面図である。
【図１１】第２の実施の形態の光量調整装置における絞り動作の第７段階を示す正面図である。
【図１２】本発明の光量調整装置の実施形態（第１の実施の形態、第３の実施の形態）としての、光量調整装置の構成を示す正面図である。
【符号の説明】
【００６２】
１０  デジタルスチルカメラ（撮像装置）
２０  レンズ鏡筒
２０ａ  鏡筒本体
２１  レンズ
２５  撮像素子
３０  光量調整装置
３１  地板
３１ａ  開口部
３４  仕切り板
３７  絞り開口
４０  絞り開閉装置（光量調整装置の一部）
４１  上絞り羽根（第１絞り羽根）
４４  下絞り羽根（第２絞り羽根）
５０  絞り駆動装置（絞り羽根駆動手段）
５１  絞り駆動モータ（絞り羽根駆動手段）
６０  ＮＤフィルタ開閉装置（光量調整装置の一部）
６１  上ＮＤ羽根（減光フィルタ羽根）
６３  カム穴
６４  下ＮＤ羽根（減光フィルタ羽根）
６６  カム穴
６７  上ＮＤフィルタ（第１減光フィルタ）
６８  下ＮＤフィルタ（第２減光フィルタ）
７０  ＮＤフィルタ駆動装置（減光フィルタ駆動手段）
７１  ＮＤ駆動モータ（減光フィルタ駆動手段）
７２  ＮＤ駆動アーム（減光フィルタ駆動アーム）
７３  上ＮＤ駆動ピン（減光フィルタ駆動ピン）
７４  下ＮＤ駆動ピン（減光フィルタ駆動ピン）
８１  上ＮＤ羽根（減光フィルタ羽根）
８２  下ＮＤ羽根（減光フィルタ羽根）
８３  ＮＤ駆動アーム（減光フィルタ駆動アーム）
９１  上ＮＤ羽根（減光フィルタ羽根）
９２  下ＮＤ羽根（減光フィルタ羽根）
９３  上ＮＤフィルタ（第１減光フィルタ）
９４  下ＮＤフィルタ（第２減光フィルタ）
９５  ＮＤ駆動アーム（減光フィルタ駆動アーム）
【図１】
2010102044.tif 000003
【図２】
2010102044.tif 000004
【図３】
2010102044.tif 000005
【図４】
2010102044.tif 000006
【図５】
2010102044.tif 000007
【図６】
2010102044.tif 000008
【図７】
2010102044.tif 000009
【図８】
2010102044.tif 000010
【図９】
2010102044.tif 000011
【図１０】
2010102044.tif 000012
【図１１】
2010102044.tif 000013
【図１２】
2010102044.tif 000014